(57)【特許請求の範囲】
【請求項１】
被検体内情報を含む無線信号を、複数のアンテナを用い各々の受信電界強度に応じて選択受信する受信装置を有した無線型被検体内情報取得システムにおいて、
前記複数のアンテナの各アンテナ毎の受信電界強度のデータを取得するデータ取得手段と、
前記データ取得手段によって取得された受信電界強度のデータを統計処理した前記各アンテナ毎の受信電界強度の統計データを保持する統計データ保持手段と、
前記統計データを解析して各アンテナの断線検知処理を行う断線検知手段と、
を備えたことを特徴とする無線型被検体内情報取得システム。
【請求項２】
前記断線検知手段は、前記データ取得手段によって取得される各時間における受信電界強度のデータと前記統計データとを比較して各アンテナの断線検知処理を行うことを特徴とする請求項１に記載の無線型被検体内情報取得システム。
【請求項３】
前記断線検知手段は、各時間におけるアンテナの受信電界強度の時間平均値が、該アンテナに対応した前記統計データが示す受信電界強度の時間平均値の所定割合以下である場合、該アンテナが断線していると判断することを特徴とする請求項２に記載の無線型被検体内情報取得システム。
【請求項４】
前記統計データ保持手段は、各アンテナ毎の受信電界強度の時間変化データを保持し、
前記断線検知手段は、各時間における各アンテナ毎の受信電界強度の時間変化データを取得し、前記統計データ保持手段が保持する時間変化データとの相関をとり、該相関の値が所定値以下である場合、該アンテナが断線していると検知することを特徴とする請求項２に記載の無線型被検体内情報取得システム。
【請求項５】
前記断線検知手段は、前記無線信号を受信する所定期間を対象に断線検知処理を行うことを特徴とする請求項１〜４のいずれか一つに記載の無線型被検体内情報取得システム。
【請求項６】
前記断線検知手段は、前記受信装置が前記無線信号を受信して生成した画像データを取得して表示する表示装置に設けたことを特徴とする請求項１〜５のいずれか一つに記載の無線型被検体内情報取得システム。
【請求項７】
前記断線検知手段は、前記受信装置内に設けたことを特徴とする請求項１〜５のいずれか一つに記載の無線型被検体内情報取得システム。
【請求項８】
前記受信装置は、前記断線検知手段が断線検知をした場合、該断線検知したアンテナを選択切替対象のアンテナから除外し、該アンテナを選択しないように制御する切替制御手段を備えたことを特徴とする請求項７に記載の無線型被検体内情報取得システム。
【発明の詳細な説明】
【技術分野】
【０００１】
この発明は、被検体内情報を含む無線信号を、複数のアンテナを用いて選択受信する受信装置を有した無線型被検体内情報取得システムに関し、特に被検体内のカプセル型内視鏡から送信される無線映像信号を受信する被検体外の複数のアンテナの断線検知を行うことができる無線型被検体内情報取得システムに関するものである。
【背景技術】
【０００２】
近年、内視鏡の分野においては、飲込み型のカプセル型内視鏡が登場している。このカプセル型内視鏡には、撮像機能と無線通信機能とが設けられている。カプセル型内視鏡は、観察（検査）のために患者の口から飲込まれた後、人体から自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部の受信機内に設けられたメモリに蓄積される。患者がこの無線通信機能とメモリ機能とを備えた受信機を携帯することにより、患者は、カプセル型内視鏡を飲み込んだ後、排出されるまでの期間であっても、自由に行動できる。この後、医者もしくは看護士においては、メモリに蓄積された画像データに基づいて臓器の画像をディスプレイに表示させて診断を行うことができる。
【０００４】
一般に受信機は、カプセル型内視鏡から送信される映像信号を受信するための複数のアンテナを体外に分散配置し、映像信号の受信誤りが少ない１つのアンテナを選択切替して受信するようにしている。
【０００５】
【特許文献１】特開２００３−１９１１１号公報
【発明の開示】
【発明が解決しようとする課題】
【０００６】
ところで、従来の受信機は、カプセル型内視鏡を被検体内に導入する前に、受信機の複数のアンテナの断線検知を行い、各アンテナが正常に動作するか否かを確認していた。このアンテナの断線検知は、カプセル型内視鏡が発する無線信号をダミー信号として発するダミー信号発生器を用い、このダミー信号発生器を各アンテナに近づけ、受信機の受信状態を確認することによって行っていた。このため、アンテナの断線検知にダミー信号発生器を必要とするとともに、カプセル型内視鏡を用いた一連の検査において断線検知のための作業時間をとらなければならないという問題点があった。
【０００７】
この発明は、上記に鑑みてなされたものであって、簡易かつ短時間にアンテナの断線検知を行うことができる無線型被検体内情報取得システムを提供することを目的とする。
【課題を解決するための手段】
【０００８】
上述した課題を解決し、目的を達成するために、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、前記複数のアンテナの各アンテナ毎の受信電界強度のデータを取得するデータ取得手段と、前記データ取得手段によって取得された受信電界強度のデータを統計処理した前記各アンテナ毎の受信電界強度の統計データを保持する統計データ保持手段と、前記統計データを解析して各アンテナの断線検知処理を行う断線検知手段と、を備えたことを特徴とする。
【０００９】
また、本発明にかかる無線型被検体内情報取得システムは、上記の発明において、前記断線検知手段は、前記データ取得手段によって取得される各時間における受信電界強度のデータと前記統計データとを比較して各アンテナの断線検知処理を行うことを特徴とする。
【００１０】
また、本発明にかかる無線型被検体内情報取得システムは、上記の発明において、前記断線検知手段は、各時間におけるアンテナの受信電界強度の時間平均値が、該アンテナに対応した前記統計データが示す受信電界強度の時間平均値の所定割合以下である場合、該アンテナが断線していると判断することを特徴とする。
【００１１】
また、本発明にかかる無線型被検体内情報取得システムは、上記の発明において、前記統計データ保持手段は、各アンテナ毎の受信電界強度の時間変化データを保持し、前記断線検知手段は、各時間における各アンテナ毎の受信電界強度の時間変化データを取得し、前記統計データ保持手段が保持する時間変化データとの相関をとり、該相関の値が所定値以下である場合、該アンテナが断線していると検知することを特徴とする。
【００１２】
また、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、前記アンテナの受信電界強度の時間変化を取得し、この時間変化が所定の値に比して大きい場合、該アンテナが断線していると検知する断線検知手段を備えたことを特徴とする。
【００１３】
また、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、各アンテナが選択されるアンテナ選択情報を取得し、一度も選択されていないアンテナを断線していると検知する断線検知手段を備えたことを特徴とする。
【００１４】
また、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、前記無線信号は映像信号であり、該映像信号から得られた画像データであって圧縮処理した画像データのサイズが所定範囲外である場合、該画像データ取得時のアンテナを断線していると検知する断線検知手段を備えたことを特徴とする。
【００１５】
また、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、前記無線信号は映像信号であり、該映像信号から画像データを生成する際に用いる同期信号の同期はずれの個数が所定値以上である場合、該該画像データ取得時のアンテナを断線していると検知する断線検知手段を備えたことを特徴とする。
【００１６】
また、本発明にかかる無線型被検体内情報取得システムは、被検体内情報を含む無線信号を、複数のアンテナを用い各々の受信電界強度に応じて選択受信する受信装置を有した無線型被検体内情報取得システムにおいて、前記無線信号は映像信号であり、該映像信号から画像データを生成する際、該映像信号に付加された誤り検出信号による誤り検出の個数が所定値以上である場合、該該画像データ取得時のアンテナを断線していると検知する断線検知手段を備えたことを特徴とする。
【００１７】
また、本発明にかかる無線型被検体内情報取得システムは、上記の発明において、前記断線検知手段は、前記無線信号を受信する所定期間を対象に断線検知処理を行うことを特徴とする。
【００１８】
また、本発明にかかる無線型被検体内情報取得システムは、上記の発明において、前記断線検知手段は、前記受信装置が前記無線信号を受信して生成した画像データを取得して表示する表示装置に設けたことを特徴とする。
【００１９】
また、本発明にかかる無線型被検体内情報取得システムは、上記の発明において、前記断線検知手段は、前記受信装置内に設けたことを特徴とする。
【００２０】
また、本発明にかかる無線型被検体内情報取得システムは、上記の発明において、前記受信装置は、前記断線検知手段が断線検知をした場合、該断線検知したアンテナを選択切替対象のアンテナから除外し、該アンテナを選択しないように制御する切替制御手段を備えたことを特徴とする。
【発明の効果】
【００２１】
この発明にかかる無線型被検体内情報取得システムでは、被検体内情報を含む無線信号を、複数のアンテナを用い各々の受信電界強度に応じて選択受信する受信装置を有した無線型被検体内情報取得システムにおいて、統計データ保持手段が、各アンテナ毎の受信電界強度の統計データを保持し、断線検知手段が、前記統計データと現に受信した各アンテナ毎の受信電界強度のデータとを比較して各アンテナの断線検知処理を行うようにしているので、検査などの情報取得の一環として断線検知を行うことができ、簡易かつ短時間にアンテナの断線検知を行うことができるという効果を奏する。
【発明を実施するための最良の形態】
【００２２】
以下、この発明を実施するための最良の形態である無線型被検体内情報取得システムについて説明する。
【００２３】
（実施の形態１）
まず、実施の形態１にかかる受信装置を備えた無線型被検体内情報取得システムについて説明する。この無線型被検体内情報取得システムは、被検体内導入装置の一例としてカプセル型内視鏡を用いている。
【００２４】
図１は、無線型被検体内情報取得システムの全体構成を示す模式図である。図１に示すように、無線型被検体内情報取得システムは、無線受信機能を有する受信装置２と、被検体１の体内に導入され、被検体内情報としての体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間のデータ受け渡しを行うための携帯型記録媒体５とを備える。受信装置２は、被検体１の体外表面に貼付される複数の受信用アンテナＡ１〜Ａｎを有した無線ユニット２ａと、複数の受信用アンテナＡ１〜Ａｎを介して受信された無線信号の処理等を行う受信本体ユニット２ｂとを備え、これらユニットはコネクタ等を介して着脱可能に接続される。なお、受信用アンテナＡ１〜Ａｎのそれぞれは、たとえば、被検体１が着用可能なジャケットに備え付けられ、被検体１は、このジャケットを着用することによって受信用アンテナＡ１〜Ａｎを装着するようにしてもよい。また、この場合、受信用アンテナＡ１〜Ａｎは、ジャケットに対して着脱可能なものであってもよい。
【００２５】
表示装置４は、カプセル型内視鏡３によって撮像された体腔内画像を表示するためのものであり、携帯型記録媒体５によって得られるデータに基づいて画像表示を行うワークステーション等のような構成を有する。具体的には、表示装置４は、ＣＲＴディスプレイ、液晶ディスプレイ等によって直接画像を表示する構成としても良いし、プリンタ等のように、他の媒体に画像を出力する構成としても良い。
【００２６】
携帯型記録媒体５は、コンパクトフラッシュ（登録商標）メモリ等が用いられ、受信本体ユニット２ｂおよび表示装置４に対して着脱可能であって、両者に対する装着時に情報の出力または記録が可能な機能を有する。具体的には、携帯型記録媒体５は、カプセル型内視鏡３が被検体１の体腔内を移動している間は受信本体ユニット２ｂに挿着され、カプセル型内視鏡３から送信されるデータが、携帯型記録媒体５に記録される。そして、カプセル型内視鏡３が被検体１から排出された後、つまり、被検体１の内部の撮像が終わった後には、受信本体ユニット２ｂから取り出されて表示装置４に挿着され、表示装置４によって記録したデータが読み出される。受信本体ユニット２ｂと表示装置４との間のデータの受け渡しをコンパクトフラッシュ（登録商標）メモリ等の携帯型記録媒体５によって行うことで、受信本体ユニット２ｂと表示装置４との間が有線接続された場合よりも、被検体１が体腔内の撮影中に自由に動作することが可能となり、また表示装置４との間のデータの受け渡し時間の短縮にも寄与している。なお、受信本体ユニット２ｂと表示装置４との間のデータの受け渡しに携帯型記録媒体５を使用したが、必ずしもこれに限られるものではなく、受信本体ユニット２ｂに内蔵型の他の記録装置を用い、表示装置４との間のデータの受け渡しのために、双方を有線または無線接続するように構成してもよい。
【００２７】
ここで、図２を参照して、受信装置２を構成する無線ユニット２ａおよび受信本体ユニット２ｂについて説明する。図２は、受信装置２の構成を示すブロック図である。無線ユニット２ａは、カプセル型内視鏡３から送信された無線信号を受信してベースバンド信号に復調する。図２に示すように、無線ユニット２ａは、受信用アンテナＡ１〜Ａｎのいずれか１つを選択的に切り替える接続切替処理を行う切替スイッチＳＷと、この切替スイッチＳＷの後段に接続され、切替スイッチＳＷによって切替接続された受信用アンテナＡ１〜Ａｎからの無線信号を増幅し、復調する受信回路１１とを有する。
【００２８】
受信本体ユニット２ｂは、無線ユニット２ａが復調したベースバンド信号を受信して処理する。図２に示すように、受信本体ユニット２ｂは、受信回路１１の後段に接続される信号処理回路１３およびＡ／Ｄ変換部１４、信号処理回路１３によって処理された画像データおよび各種入力処理上の情報を表示する表示部１５、各種情報を記憶する記憶部１６、携帯型情報記録媒体５、これらの各構成部位を制御する制御部Ｃ１、および受信本体ユニット２ｂと無線ユニット２ａとに電力供給を行う電力供給部１７を有する。制御部Ｃ１は、アンテナの切替制御を行う切替制御部Ｃ１ａを有する。
【００２９】
受信回路１１は、切替スイッチＳＷから出力された高周波信号を増幅し、復調したベースバンド信号Ｓ１を信号処理回路１３に出力するとともに、増幅した高周波信号の信号強度を示す受信強度信号Ｓ２をＡ／Ｄ変換部１４に出力する。信号処理回路１３によって処理された画像データは、制御部Ｃ１によって携帯型記録媒体５に記録されるとともに、必要に応じて表示部１５に画像表示される。Ａ／Ｄ変換部１４によってデジタル信号に変換された受信強度信号Ｓ２は、制御部Ｃ１に取り込まれる。切替制御部Ｃ１ａは、受信用アンテナＡ１〜Ａｎを順次切り替えて得たこの受信強度信号Ｓ２をもとに、最も大きい信号強度で受信した受信用アンテナを、画像データを取得するための受信用アンテナとして選択するとともに、このアンテナへの切替を指示する切替信号Ｓ３を切替スイッチＳＷに出力する。また、制御部Ｃ１は、選択された受信用アンテナと対応付けて、画像データとともに各受信用アンテナで受信した信号強度を携帯型記録媒体５に記録する。この記録された各受信用アンテナの信号強度は、後述するアンテナの断線検知のために用いられるとともに、画像データが受信されたときの体内のカプセル型内視鏡３の位置を算出するための情報となる。
【００３０】
図３は、表示装置４の構成を示すブロック図である。表示装置４は、パーソナルコンピュータなどによって実現され、携帯型記録媒体５に記録された画像データなどをさらに処理し、処理された一連の画像データをもとに、患者の診断を行い、さらには診断レポートなどを作成することができる。表示装置４は、図３に示すように、キーボードやマウスなどのポインティングデバイスなどによって実現され、各種情報を入力する入力部２１、液晶ディスプレイなどによって実現され、処理された画像データなどの各種情報を表示出力する表示部２２、プリンタなどによって実現される出力部２３、画像データを含む各種情報を記憶する記憶部２４、着脱可能な携帯型記録媒体５、外部のネットワークと通信接続処理を行う外部通信インターフェース２５、およびＣＰＵなどによって実現され、上述した各部を制御する制御部Ｃ２を有する。
【００３１】
ここで、記憶部２４は、過去の画像データ取得時における各受信用アンテナＡ１〜Ａｎの配置に基づいた各受信用アンテナＡ１〜Ａｎの受信電界強度の時間変化を統計処理した統計データ２４ａが格納されている。また、制御部Ｃ２は、断線検知処理部Ｃ２ａを有し、この断線検知処理部Ｃ２ａは、携帯型記録媒体５から取得された画像データとともに付加された各受信用アンテナＡ１〜Ａｎの受信電界強度の時間変化データと、統計データ２４ａとを比較し、この画像データを取得するのに用いた受信用アンテナＡ１〜Ａｎが断線状態あるいは受信用アンテナと切替スイッチとが接続不良状態であるかを検知し、その結果を表示部２２等に出力する処理を行う。
【００３２】
たとえば、１つの受信用アンテナは、断線していない場合、図４に示すように受信電界強度が時間的に変化し、統計データ２４ａには、各受信用アンテナＡ１〜Ａｎ毎に得られた過去の複数の受信電界強度の時間変化をもとに、各受信用アンテナＡ１〜Ａｎ毎の総受信電界強度の平均値Ａｖ１〜Ａｖｎが求めれ、保持されている。保持断線検知処理部Ｃ２ａは、現在得られた各受信用アンテナＡ１〜Ａｎ毎の総受信電界強度の平均値ＲＡｖ１〜ＲＡｖｎを求め、各受信用アンテナＡ１〜Ａｎ毎に、平均値Ａｖ１〜Ａｖｎと平均値ＲＡｖ１〜ＲＡｖｎとをそれぞれ比較し、平均値ＲＡｖ１〜ＲＡｖｎが平均値Ａｖ１〜Ａｖｎの５０％以下である受信用アンテナがある場合、この受信用アンテナは断線あるいは接続不良であると判断し、その判断結果を表示部２２に出力する。
【００３３】
カプセル型内視鏡３は、被検体１に導入されてから排出されるまでに約８時間程度かかるが、その間に受信用アンテナに断線が生じた場合、この受信用アンテナは切替選択されずに、図５に示すように後半に検出すべき受信電界強度プロファイルが現れない。これによって、断線した受信用アンテナの総受信電界強度は小さくなるため、上述したように総受信電界強度の平均値が閾値以下の受信用アンテナは、断線あるいは接続不良が生じているものと判断される。
【００３４】
なお、平均値Ａｖ１〜Ａｖｎ，ＲＡｖ１〜ＲＡｖｎは、カプセル型内視鏡３が被検体１に導入されている期間に対するものでなくてもよく、たとえば、カプセル型内視鏡３が被検体１から排出される時から遡った所定期間に対する平均値を求め、それぞれを比較して断線あるいは接続不良を検出するようにしてもよい。
【００３５】
さらに、図６に示すように、受信状態における受信電界強度の時間的変化が所定期間連続して大きく変化する受信用アンテナがあった場合、この受信用アンテナは断線の前兆としての接続不良が生じているものと考えられるため、この受信用アンテナは断線あるいは接続不良であると判断するようにしてもよい。この場合、統計データ２４ａは必ずしも必要ではない。なお、受信電界強度が大きく変化するか否かは、受信電界強度の時間変化を微分することによって得ることができる。
【００３６】
また、統計データ２４ａに、各受信用アンテナＡ１〜Ａｎの受信電界強度の典型的な時間変化プロファイルを保持しておき、断線検知処理部Ｃ２ａが、この典型的な時間変化プロファイルと、現在得られた各受信用アンテナＡ１〜Ａｎの受信電界強度の時間変化プロファイルとの相関を求め、この相関の値をもとに、受信用アンテナが断線あるいは接触不用であると判断するようにしてもよい。
【００３７】
この実施の形態１では、過去に得られた各受信用アンテナの受信電界強度の統計データと、現在得られた各受信用アンテナの受信電界強度のデータとを比較して、受信用アンテナの断線あるいは接続不良を検知するようにしているので、アンテナ断線チェックが容易になるとともに、アンテナ断線チェックの信頼度を高めることができる。このアンテナ断線チェックの信頼度が高まるのは、他のアンテナ断線チェックによって断線検出できなかった受信用アンテナの断線を検出できるからである。
【００３８】
（実施の形態２）
つぎに、この発明の実施の形態２について説明する。上述した実施の形態１では、統計データ２４ａを用いて断線検知を行うようにしていたが、この実施の形態２では、統計データ２４ａを用いず、現に得られた受信用アンテナの受信電界強度のデータをもとに断線検知を行うようにしている。
【００３９】
すなわち、断線検知処理部Ｃ２ａは、携帯型記録媒体５から得られた画像データとともに付加された各受信用アンテナの受信電界強度のデータを取得し、この取得した受信用アンテナの受信電界強度がほぼ零に等しい場合、この受信用アンテナが断線あるいは接続不良であると判断する。
【００４０】
なお、各受信用アンテナの受信電界強度のデータではなく、各受信用アンテナの選択切替データのみを用いて断線検知を行うようにしてもよい。すなわち、断線検知処理部Ｃ２ａは、一度も選択されなかった受信用アンテナを断線あるいは接続不良があるものとして判断する。
【００４１】
この実施の形態２では、統計データ２４ａを用いずに簡易に各受信用アンテナの断線検知を行うことができる。
【００４２】
（実施の形態３）
つぎに、この発明の実施の形態３について説明する。この実施の形態３では、得られた画像データのサイズをもとに各受信用アンテナの断線検知を行うようにしている。
【００４３】
各受信用アンテナＡ１〜Ａｎによって得られた画像データは、受信本体ユニット２ｂによってＪＰＥＧなどの圧縮処理が行われて携帯型記録媒体５に記録される。ここで、受信用アンテナＡ１〜Ａｎに接続不良が生じている場合、画像データにノイズが混入し、画像圧縮を行うと、画像データのサイズは大きくなる。
【００４４】
そこで、断線検知処理部Ｃ２ａは、得られた画像データとこの画像データ取得時のアンテナ選択情報とをもとに、得られた画像データのサイズが所定の範囲外である場合、この画像データ取得時の受信用アンテナは断線あるいは接続不良であると判断する。
【００４５】
なお、受信本体ユニット２ｂ側で画像データの圧縮処理を行わない場合、表示装置４側で圧縮処理を行うことになるが、この場合、断線検知処理部Ｃ２ａは、画像データの圧縮処理後に上述した断線検知を行うことになる。
【００４６】
この実施の形態３では、実施の形態２と同様に、簡易に受信用アンテナの断線検知を行うことができる。
【００４７】
（実施の形態４）
つぎに、この発明の実施の形態４について説明する。この実施の形態４では、受信本体ユニット２ｂが映像信号の同期はずれをもとに各受信用アンテナの断線検知を行うようにしている。
【００４８】
各受信用アンテナＡ１〜Ａｎによって受信された高周波信号は無線ユニット２ａによってベースバンドの映像信号として受信本体ユニット２ｂに送られ、受信本体ユニット２ｂは、この映像信号の水平同期信号によって水平同期をとり、また垂直同期信号によって垂直同期をとりつつ、画像データを生成する。
【００４９】
ここで、受信用アンテナに断線あるいは接続不良が生じている場合、水平同期や垂直同期をとることができず、同期はずれが生じる。したがって、断線検知処理部Ｃ２ａは、各受信用アンテナ毎の同期はずれの総個数が所定値以上あった場合、あるいは同期はずれの集中があった場合、この受信用アンテナは断線あるいは接続不良が生じていると判断する。なお、同期はずれは、受信本体ユニット２ｂでカウントすることができ、アンテナ選択情報とともに、このカウントした値が携帯型記録媒体５に記録される。
【００５０】
この実施の形態４では、実施の形態２，３と同様に、簡易に受信用アンテナの断線検知を行うことができる。
【００５１】
（実施の形態５）
つぎに、この発明の実施の形態５について説明する。この実施の形態５では、映像信号に含まれた誤り検知信号の誤り個数をもとに各受信用アンテナの断線検知を行うようにしている。
【００５２】
この実施の形態５では、カプセル型内視鏡３から送信される映像信号に誤り検出信号を含ませておき、受信本体ユニット２ｂがこの映像信号をもとに画像データを生成する際、誤り検出処理を行う。受信本体ユニット２ｂは、この誤り検出の個数をアンテナ選択情報とともに携帯型記録媒体５に記録する。
【００５３】
断線検知処理部Ｃ２ａは、誤り検出の個数が所定値以上、あるいは集中している場合、この誤り検出された画像データを受信した受信用アンテナをアンテナ選択情報をもとに決定し、この決定した受信用アンテナが断線あるいは接続不良であると判断する。
【００５４】
この実施の形態５では、実施の形態２〜４と同様に、簡易に受信用アンテナの断線検知を行うことができる。
【００５５】
なお、上述した実施の形態１〜５では、表示装置４側で断線検知を行うようにしていたが、これに限らず、受信本体ユニット２ｂ側に断線検知処理部Ｃ２ａに相当する断線検知処理部を設け、断線検知結果を携帯型記録媒体５に記録するようにしてもよい。この場合、切替制御部Ｃ１ａは、断線検知したアンテナをその後選択切替対象のアンテナから外してこのアンテナを選択しないように制御する。また、この断線検知があった場合、その旨を表示部１４等に表示し、あるいは報知するようにしてもよい。これによって、無駄な検査を迅速に発見することができ、断線検知された受信用アンテナあるいは無線ユニット２ａ全体を交換することによって無駄な検査を回避する対処を行うことができる。
【００５６】
また、実施の形態２〜５では、特に統計データを用いていないが、断線あるいは接続不良でない受信用アンテナを用いたときのデータと、断線あるいは接続不良である受信用アンテナを用いたときのデータとをもとに、断線あるいは接続不良の判断のための閾値を統計的に求めるようにしてもよい。
【図面の簡単な説明】
【００５７】
【図１】この発明の実施の形態１にかかる無線型被検体内情報取得システムの全体構成を示す模式図である。
【図２】図１に示した受信装置の構成を示すブロック図である。
【図３】図１に示した表示装置の構成を示すブロック図である。
【図４】断線していない受信用アンテナによって受信した無線信号の受信電界強度の時間変化を示す図である。
【図５】受信途中で断線した受信用アンテナによって受信した無線信号の受信電界強度の時間変化を示す図である。
【図６】断線による接続不良が生じた場合における受信電界強度の時間変化を示す図である。
【符号の説明】
【００５８】
１    被検体
２    受信装置
２ａ  無線ユニット
２ｂ  受信本体ユニット
３    カプセル型内視鏡
４    表示装置
５    携帯型記録媒体
１１  受信回路
１２  信号処理回路
１３  Ａ／Ｄ変換部
１４，２２  表示部
１５，２４  記憶部
１６  電力供給部
２１  入力部
２３  出力部
２４ａ  統計データ
２５  外部通信インターフェース
Ｃ１，Ｃ２  制御部
Ｃ１ａ  切替制御部
Ｃ２ａ  断線検知処理部
Ａ１〜Ａｎ  受信用アンテナ
【図１】
0004827486.tif 000002
【図２】
0004827486.tif 000003
【図３】
0004827486.tif 000004
【図４】
0004827486.tif 000005
【図５】
0004827486.tif 000006
【図６】
0004827486.tif 000007